(57)【要約】【課題】記録装置間のデータ転送の際のプライバシー保護を簡単な操作で行うことが可能な撮像装置を提供すること。【解決手段】カメラ１００の制御部１２５は、アクセサリ２００ａがカメラ１００の本体１２０に装着されている際に、表示部１２３に画像が表示された場合には、その表示部１２３に表示されている画像に相当する画像ファイルに、アクセサリ２００ａによる画像ファイル送信を許可するための送信許可情報を付与し、表示部１２３による画像の表示が終了した場合には、それまで表示部１２３に表示されていた画像に相当する画像ファイルに、アクセサリ２００ａによる画像ファイル送信を禁止するための送信不許可情報を付与する。【選択図】図１
2012049989.tif 000002
【特許請求の範囲】
【請求項１】
被写体を撮像して、該被写体に係る画像データを取得する撮像部と、
当該撮像装置に対して着脱自在になされた記録装置に、上記撮像部で取得された画像データを記録する記録制御部と、
上記記録装置に記録された画像データに基づく画像を表示する表示部と、
上記表示部に表示中の画像に相当する上記記録装置内の画像データに、上記記録装置による画像データの送信を許可するための送信許可情報を付与し、上記表示部に表示中の画像以外の画像に対応した上記記録装置内の画像データに、上記記録装置による画像データの送信を禁止するための送信不許可情報を付与する情報付与部と、
を具備することを特徴とする撮像装置。
【請求項２】
上記表示部は、上記撮像装置に上記記録装置が装着された際には、上記記録装置内の画像データの中の上記送信許可情報が付与されている画像データに基づく画像を表示することを特徴とする請求項１に記載の撮像装置。
【請求項３】
上記情報付与部は、上記表示部に画像が表示中で、上記撮像装置から上記記録装置を取り外す操作がなされたことが検出された場合に、上記表示部に表示中の画像に相当する上記記録装置内の画像データに、上記記録装置による画像データの送信を許可するための送信許可情報を付与することを特徴とする請求項１に記載の撮像装置。
【発明の詳細な説明】
【技術分野】
【０００１】
本発明は、外部の記録装置が着脱自在な撮像装置に関する。
【背景技術】
【０００２】
近年、デジタルカメラ等の撮影機能を有する機器（撮像装置）が普及している。また、近年の撮像装置は、当該撮像装置による撮影で得られた画像ファイルを他の機器に転送できるものが多くなっている。また、近年、撮像装置に外部の記録装置を接続して、記録装置内の画像を撮像装置で閲覧できるようになっている。さらには、記録装置に通信機能を持たせ、記録装置間での画像ファイルの転送も可能となっている。このような複数の記録装置間でのデータ転送におけるプライバシーの保護に関する技術の１つとして、特許文献１の技術が提案されている。
【先行技術文献】
【特許文献】
【０００３】
【特許文献１】特開２００８−５２４０号公報
【発明の概要】
【発明が解決しようとする課題】
【０００４】
特許文献１の技術では、記録装置間のデータ転送の際にスイッチ操作が必要であり、また、カメラに逐一メモリカードを挿入してデータ転送を行う必要が生じる。このため、ユーザが煩わしさを感じるおそれがある。
本発明は、上記の事情に鑑みてなされたもので、記録装置間のデータ転送の際のプライバシー保護を簡単な操作で行うことが可能な撮像装置を提供することを目的とする。
【課題を解決するための手段】
【０００５】
上記の目的を達成するために、本発明の一態様の撮像装置は、被写体を撮像して、該被写体に係る画像データを取得する撮像部と、当該撮像装置に対して着脱自在になされた記録装置に、上記撮像部で取得された画像データを記録する記録制御部と、上記記録装置に記録された画像データに基づく画像を表示する表示部と、上記表示部に表示中の画像に相当する上記記録装置内の画像データに、上記記録装置による画像データの送信を許可するための送信許可情報を付与し、上記表示部に表示中の画像以外の画像に対応した上記記録装置内の画像データに、上記記録装置による画像データの送信を禁止するための送信不許可情報を付与する情報付与部と、を具備することを特徴とする。
【発明の効果】
【０００６】
本発明によれば、記録装置間のデータ転送の際のプライバシー保護を簡単な操作で行うことが可能である。
【図面の簡単な説明】
【０００７】
【図１】本発明の一実施形態に係る撮像装置を有する画像通信システムの構成について説明するための図。
【図２】画像通信システムの動作の概要を説明するための図。
【図３】カメラの動作を示すフローチャート。
【図４】アクセサリの動作を示すフローチャート。
【発明を実施するための形態】
【０００８】
以下、図面を参照して本発明の実施形態を説明する。  
図１は、本発明の一実施形態に係る撮像装置を有する画像通信システムの構成について説明するための図である。本画像通信システムは、図１に示すように、撮像装置１００と、複数（図１では２つ）のアクセサリ装置（以下、アクセサリという）２００ａ、２００ｂとを有している。撮像装置１００は、例えばデジタルカメラ（以下、カメラという）であり、該カメラ１００の本体に設けられたホットシュー部１００ａに記録装置としてのアクセサリ２００ａ、２００ｂが着脱自在なように構成されている。例えば図２（ａ）に示すようにしてホットシュー部１００ａにアクセサリ２００ａが装着された場合、図示しないロック機構により、アクセサリ２００ａがカメラ１００の本体に固定される。この状態で、カメラ１００とアクセサリ２００ａとが通信自在に接続される。さらに、アクセサリ２００ａ、２００ｂは、カメラ１００から分離した状態で持ち運ぶことも可能である。アクセサリ２００ａとアクセサリ２００ｂとは、図２（ｂ）に示すように、カメラ１００から分離された状態でも無線通信自在に構成されている。
【０００９】
カメラ１００は、交換レンズ１１０と、本体１２０とを有している。交換レンズ１１０は、本体１２０に対して着脱自在に構成されている。本体１２０に交換レンズ１１０が装着された場合には、交換レンズ１１０と本体１２０とが通信自在に接続される。この場合、交換レンズ１１０は本体１２０の制御に従って動作する。なお、図１では、カメラ１００の例としてレンズ交換可能なカメラを例示しているが、カメラ１００は必ずしもレンズ交換可能とする必要はない。
【００１０】
交換レンズ１１０は、レンズ部１１１と、レンズ制御部１１２とを有している。レンズ部１１１は、複数のレンズや絞り等から構成され、図示しない被写体からの光束を本体１２０内部の撮像部１２１に入射させるための光学系である。レンズ制御部１１２は、通信部１１２ａを有しており、通信部１１２ａを介して本体１２０と通信可能になされている。このレンズ制御部１１２は、通信部１１２ａを介して本体１２０から入力されるレンズ制御信号に応じて、例えばフォーカシング制御やズーミング制御といったレンズ部１１１を構成する各種のレンズの制御を行う。
【００１１】
本体１２０は、撮像部１２１と、音声収録部１２２と、表示部１２３と、記録部１２４と、制御部１２５と、操作部１２６と、計時部１２７と、通信部１２８と、通信部１２９とを有している。撮像部１２１は、撮像素子等を有している。この撮像部１２１は、レンズ部１１１を介して入射した光束（画像情報）を光電変換することにより画像データを取得する。音声収録部１２２は、マイクロホン等を有し、カメラ１００の周辺の音声を電気信号に変換することにより音声データを取得する。表示部１２３は、例えば液晶ディスプレイ（ＬＣＤ）や有機エレクトロルミネッセンスディスプレイ（ＯＥＬＤ）等の表示部であり、各種の画像を表示する。記録部１２４は、例えばカメラ１００に内蔵の不揮発性メモリであり、制御部１２５によって生成された画像ファイルや音声ファイル等の各種のデータを記録する。制御部１２５は、例えばＣＰＵから構成されており、操作部１２６の操作内容に応じた本体１２０の各種の処理を実行する。また、制御部１２５は、画像処理部及び音声処理部としての機能も有しており、撮像部１２１から取り込んだ画像データに対して記録用の画像処理を施したり、音声収録部１２２を介して取り込んだ音声データに対して記録用の音声処理を施したりもする。さらに、制御部１２５は、記録制御部及び情報付与部としての機能も有している。操作部１２６は、カメラ１００の所有者が本体１２０に対して各種の操作指示を与えるための各種の操作部材である。操作部１２６としては、例えばカメラ１００の電源をオン又はオフするための電源ボタン、カメラ１００に対して撮影実行の指示を行うためのレリーズボタン、カメラ１００の動作モードを設定するためのモードボタン、カメラ１００における各種の選択を行うための選択ボタン等の種々の操作部が含まれる。操作部１２６の操作を受けた場合に、制御部１２５は、操作部１２６の操作内容に応じた各種の処理を制御する。計時部１２７は、撮影時刻や録音時刻等の各種の時間を計時する。また、計時部１２７は、後述する確認画像の表示時間を計時するためにも用いられる。通信部１２８は、制御部１２５が交換レンズ１１０と通信するためのインターフェースである。通信部１２９は、制御部１２５が本体１２０に接続されているアクセサリと通信するためのインターフェースである。なお、通信部１２９に用いられる通信インターフェースとしては、例えばＵＳＢインターフェースを用いることができる。
【００１２】
アクセサリ２００ａ及び２００ｂは、記録部２０１と、表示部２０２と、制御部２０３と、通信部２０４と、外部機器通信部２０５とを有している。なお、以下は、アクセサリ２００ａとアクセサリ２００ｂとが同一の構成を有しているものとして、アクセサリ２００ａの構成について説明する。実際には、アクサせり２００ａとアクセサリ２００ｂは、記録部２０１と、制御部２０３と、外部機器通信部２０５とを共通に有していれば良い。記録部２０１は、カメラ１００で得られた画像をさらに画像処理（リサイズ処理）することによって得られる画像ファイル等の各種のデータを記録する。表示部２０２は、ＬＥＤ等から構成され、電源のオン・オフや通信状態等のアクセサリ２００ａの各種の状態表示のために設けられている。制御部２０３は、例えばＣＰＵから構成されており、アクセサリ２００ａの各種の処理を制御する。通信部２０４は、例えばカメラ１００と有線通信を行うための通信インターフェースとして、例えばＵＳＢインターフェース等の有線通信用のインターフェースを備えている。外部機器通信部２０５は、アクセサリ２００ｂ〜２００ｂ等の他の外部機器とトランスファージェット（登録商標）通信等の無線通信を行うためのインターフェースを備えている。
【００１３】
次に、図２を参照して、本実施形態における画像通信システムの動作の概要を説明する。本実施形態においては、カメラ１００の本体１２０に何れかのアクセサリ（例えばアクセサリ２００ａ）を装着した状態で画像の撮影や画像の再生を行うことができる。ここで、本実施形態では、画像の撮影後の確認画像の表示中や画像の再生中等、表示部１２３に画像（画像Ａ）が表示されている間に、その画像Ａに対応した画像ファイルに送信許可情報を付与するとともに、確認画像の表示終了時や画像の再生の終了時に、それまで表示されていた画像Ａに対応した画像ファイルに送信不許可情報を付与する。そして、アクセサリ２００ａからアクセサリ２００ｂへは送信許可情報が付与されている画像ファイルのみを送信可能とし、送信不許可情報が付与されている画像ファイルについては送信を禁止する。なお、表示中の画像に対応した画像ファイルに送信許可情報を付与するのは、表示中の画像であれば、他の人に見られても問題ない可能性が高いためである。このような構成とすることにより、ユーザは、画像ファイルに送信許可情報が付与されている期間内にアクセサリ２００ａを取り外すだけの簡易な操作で、画像ファイルの送信許可及び送信不許可を選択することができる。トランスファージェットによる通信の場合、図２（ｂ）に示すようにして、アクセサリ２００ａをアクセサリ２００ｂに近接させるだけで通信が行われるので、アクセサリ２００ａのユーザが意図しない画像ファイルが不意に送信されてしまう可能性が存在する。これに対し、本実施形態では、アクセサリ２００ａをアクセサリ２００ｂに近接させたときには、画像ファイルの送信許可及び送信不許可が選択されているので、アクセサリ２００ａのユーザが意図しない画像ファイルが不意に送信されてしまう可能性が低減され、画像ファイル転送の際のプライバシー保護が図られる。
【００１４】
さらに、本実施形態では、画像ファイルが記録されているアクセサリ（例えばアクセサリ２００ｂ）が、図２（ｃ）に示すようにして再生モード中のカメラ１００に装着された場合には、送信許可情報が付与されている画像ファイルに基づく画像（例えば画像Ａ）のみを表示させ、送信不許可情報が付与されている画像ファイルに基づく画像については表示を禁止する。これにより、アクセサリ間での画像ファイル転送後に、アクセサリ２００ａのユーザが意図しない画像ファイルが不意に表示されてしまう可能性が低減される。また、送信許可情報が付与されている画像ファイルに基づく画像を表示させることにより、正しく画像ファイルの送信が行われたことを確認することも可能である。
【００１５】
図３は、本実施形態におけるカメラ１００の動作を示すフローチャートである。カメラ１００の所有者の操作部１２６の操作によって、カメラ１００の電源がオンされることによって、図３の動作が開始される。カメラ１００の制御部１２５は、まず、カメラ１００の動作モードが撮影モードであるか否かを判定する（Ｓ１０１）。上述したように、動作モードは、例えば操作部１２６のモードボタンの操作によって設定される。Ｓ１０１において、動作モードが撮影モードである場合に、制御部１２５は、撮影指示がなされたか否かを判定する（Ｓ１０２）。撮影指示とは、例えば操作部１２６のレリーズボタンの操作である。Ｓ１０２において、撮影指示がなされた場合に、制御部１２５は、撮影処理を行い、撮影により得られた画像ファイルを記録部１２４に記録させる（Ｓ１０３）。撮影処理として、制御部１２５は、シーンの明るさ等から撮像素子の適正露出量を算出する。そして、制御部１２５は、算出した適正露出量に従って撮像部１２１の露出動作（画像取得動作）を制御する。このような撮影処理の後、制御部１２５は、撮影処理により得られた画像データに対して各種の画像処理を施し、画像処理の結果として得られた画像データに撮影時刻等の情報を付与して画像ファイルを作成し、作成した画像ファイルを記録部１２４に記録させる。また、制御部１２５は、例えば動画撮影時等、必要に応じて、音声収録部１２２を介して得られた音声ファイルを記録部１２４に記録させる。
【００１６】
画像ファイル（及び音声ファイル）を記録部１２４に記録した後、制御部１２５は、現在、カメラ１００にアクセサリが装着されているか否かを判定する（Ｓ１０４）。Ｓ１０４において、アクセサリが装着されている場合に、制御部１２５は、Ｓ１０３において得られた画像データをリサイズ（縮小）して本体１２０に装着されているアクセサリ（例えばアクセサリ２００ａとする）への記録用の画像ファイルを生成し、生成したアクセサリ２００ａへの記録用の画像ファイルを、通信部１２９を介してアクセサリ２００ａに送信する（Ｓ１０５）。これにより、アクセサリ２００ａの記録部２０１にはカメラ１００で得られた画像に対応したリサイズ画像ファイルがコピーされる。
【００１７】
その後、制御部１２５は、計時部１２７による計時を開始させ、計時部１２７の計時時間が所定時間（例えば数秒）内であるか否かを判定する（Ｓ１０６）。Ｓ１０６において、計時部１２７の計時時間が所定時間内である場合に、制御部１２５は、確認画像として、Ｓ１０３で撮影された画像を表示部１２３に表示させる（Ｓ１０７）。確認画像の表示後、制御部１２５は、アクセサリ２００ａを取り外す操作がなされたか否か、即ち図示しないロックが解除されたか否かを判定する（Ｓ１０８）。Ｓ１０８において、ロックが解除された場合に、制御部１２５は、表示部１２３に表示中の画像に対応した画像ファイル（即ち、Ｓ１０３でカメラ１００の記録部１２４に記録された画像ファイルであって、Ｓ１０５でアクセサリ２００ａの記録部２０１に記録された画像ファイル）の例えばヘッダに、送信許可情報を付与する（Ｓ１０９）。その後、制御部１２５は、Ｓ１０１からの処理を実行する。なお、送信許可情報及び送信不許可情報としては、例えば２値のフラグを付与すれば良い。例えば「１」の場合に送信許可とし、「０」の場合に送信不許可とする。また、Ｓ１０８において、ロックが解除されていない場合に、制御部１２５は、Ｓ１０９の処理をスキップする。さらに、Ｓ１０８において、計時部１２７の計時時間が所定時間を超えた場合に、制御部１２５は、確認画像の表示を終了させる（Ｓ１１０）。その後、制御部１２５は、それまで表示部１２３に表示させていた画像に対応した画像ファイル（即ち、Ｓ１０３でカメラ１００の記録部１２４に記録された画像ファイルであって、Ｓ１０５でアクセサリ２００ａに記録された画像ファイル）の例えばヘッダに、送信不許可情報を付与する（Ｓ１１１）。その後、制御部１２５は、Ｓ１０１からの処理を実行する。
【００１８】
また、Ｓ１０１において、撮影モードでない場合に、制御部１２５は、カメラ１００の動作モードが再生モードであるか否かを判定する（Ｓ１１２）。Ｓ１１２において、動作モードが再生モードでない場合に、制御部１２５は、Ｓ１０１からの処理を実行する。一方、Ｓ１１２において、動作モードが再生モードである場合に、制御部１２５は、記録部１２４に記録されている画像ファイルの一覧（サムネイル画像）を表示部１２３に表示させる（Ｓ１１３）。画像ファイルの一覧表示の後、制御部１２５は、例えばカメラ１００の所有者の操作部１２６の選択ボタンの操作に従って画像ファイルの選択がなされたか否かを判定する（Ｓ１１４）。Ｓ１１４において、画像ファイルの選択がなされていない場合に、制御部１２５はＳ１１３の一覧表示を継続する。また、Ｓ１１４において、画像ファイルの選択がなされた場合に、制御部１２５は、選択された画像ファイルを再生する（Ｓ１１５）。即ち、制御部１２５は、画像ファイル内の画像データを伸張し、伸張した画像データに基づく画像を表示部１２３に表示させる。
【００１９】
画像ファイルの再生後、制御部１２５は、現在、カメラ１００にアクセサリが装着されているか否かを判定する（Ｓ１１６）。Ｓ１１６において、アクセサリが装着されている場合に、制御部１２５は、本体１２０に装着されているアクセサリ（例えばアクセサリ２００ａとする）の記録部２０１に記録されている各画像ファイルの送信許可情報をクリア（送信不許可に）する（Ｓ１１７）。送信許可情報をクリアした後、制御部１２５は、アクセサリ２００ａを取り外す操作がなされたか否か、即ち図示しないロックが解除されたか否かを判定する（Ｓ１１８）。Ｓ１１８において、ロックが解除された場合に、制御部１２５は、表示部１２３に現在表示中の画像に対応した画像データをリサイズ（縮小）し、リサイズした画像ファイルに送信許可情報を付与して記録用の画像ファイルを生成し、生成した記録用の画像ファイルを、通信部１２９を介してアクセサリ２００ａに送信する（Ｓ１１９）。なお、表示部１２３に表示中の画像に対応する記録用の画像ファイルが、既にアクセサリ２００ａの記録部２０１に記録されている場合には、送信許可情報を付与する処理のみを行う。また、Ｓ１１８において、ロックが解除されていない場合に、制御部１２５は、Ｓ１１９の処理をスキップする。この場合には、アクセサリ２００ａ内の各画像ファイルは、送信許可情報が付与されないままとなる。
【００２０】
その後、制御部１２５は、再生モードを終了するか否かを判定する（Ｓ１２０）。例えば、再生モードから撮影モードへ切り替える操作がなされた場合や再生終了の操作がなされた場合に再生モードを終了すると判定する。Ｓ１２０において、再生モードを終了しない場合に、制御部１２５は、Ｓ１１２からの処理を実行して再生モードの動作を継続する。また、Ｓ１２０において、再生モードを終了する場合に、制御部１２５は、Ｓ１０１からの処理を実行する。
【００２１】
Ｓ１１６において、カメラ１００にアクセサリが装着されていない場合に、制御部１２５は、カメラ１００にアクセサリ（アクセサリ２００ａ又は２００ｂ）が装着されたか否か（即ち、アクセサリの未装着状態からアクセサリの装着状態になったか否か）を判定する（Ｓ１２１）。Ｓ１２１において、アクセサリが装着された場合に、制御部１２５は、装着されたアクセサリ（例えばアクセサリ２００ｂとする）から転送されてきた、送信許可情報が付与されている画像ファイルを再生する（Ｓ１２２）。その後、制御部１２５は、Ｓ１２０からの処理を実行する。また、Ｓ１２１において、アクセサリが装着されていない場合に、制御部１２５は、Ｓ１２２の処理をスキップしてＳ１２０からの処理を実行する。
【００２２】
ここで、図３の例では、カメラ１００からアクセサリ２００ａを取り外す操作がなされてロックが解除された場合に、送信許可情報を付与するようにしている。これに対し、確認画像や選択画像の再生がなされた時点で送信許可情報を付与するようにしても良い。
【００２３】
図４は、本実施形態におけるアクセサリ２００ａ、２００ｂの動作を示すフローチャートである。アクセサリ２００ａ、２００ｂの制御部２０３は、まず、カメラ１００が接続されているか否かを判定している（Ｓ２０１）。Ｓ２０１において、カメラ１００が接続されている場合に、制御部２０３は、通信部２０４を介して、カメラ１００から画像ファイルが転送されたか否かを判定する（Ｓ２０２）。Ｓ２０２において、画像ファイルが転送されてきていない場合に、制御部２０３はＳ２０１からの処理を実行する。また、Ｓ２０２において、画像ファイルが転送されてきた場合に、制御部２０３は、転送されてきた画像ファイルを記録部２０１に記録させる（Ｓ２０３）。その後に制御部２０３は、Ｓ２０１からの処理を実行する。
【００２４】
また、Ｓ２０１において、カメラ１００が接続されていない場合に、制御部２０３は、カメラ１００が接続されたか否か（即ち、カメラ１００の未装着状態からカメラ１００の接続状態になったか否か）を判定する（Ｓ２０４）。Ｓ２０４において、カメラ１００が接続された場合に、制御部２０３は、記録部２０１に記録されている画像ファイルの中で、送信許可情報が付与されている画像ファイルを、通信部２０４を介してカメラ１００に送信する（Ｓ２０５）。その後、制御部２０３は、Ｓ２０１からの処理を実行する。また、Ｓ２０４において、カメラ１００が接続されていない場合に、制御部２０３は、アクセサリ間の通信を実行するか否かを判定する（Ｓ２０６）。例えば、トランスファージェット方式の通信の場合には、機器同士を近接させるだけで電磁誘導によって通信接続が確立する。この場合、制御部２０３は、記録部２０１に記録されている画像ファイルの中で、送信許可情報が付与されている画像ファイルがあるか否かを判定する（Ｓ２０７）。Ｓ２０７において、送信許可情報が付与されている画像ファイルが記録部２０１に記録されている場合に、制御部２０３は、外部機器通信部２０５を介して、送信許可情報が付与されている画像ファイルを通信相手のアクセサリ（例えばアクセサリ２００ｂ）に送信する（Ｓ２０８）。その後、制御部２０３は、Ｓ２０９からの処理を実行する。
【００２５】
また、Ｓ２０７において、送信許可情報が付与されている画像ファイルが記録部２０１に記録されていない場合に、制御部２０３は、画像ファイルが受信可能であるか否か、例えば記録部２０１の記録容量が十分であるか否かを判定する（Ｓ２０９）。Ｓ２０９において、画像ファイルが受信可能でない場合に、制御部２０３は、Ｓ２０１からの処理を実行する。また、Ｓ２０９において、画像ファイルが受信可能である場合に、制御部２０３は、外部機器通信部２０５を介して、通信相手のアクセサリ（例えばアクセサリ２００ｂ）から画像ファイルを受信する（Ｓ２１０）。その後に、制御部２０３は、Ｓ２０１からの処理を実行する。なお、アクセサリ同士の通信の場合には、Ｓ２１０で受信される画像ファイルも送信許可情報が付与された画像ファイルとなる。
【００２６】
以上説明したように、本実施形態では、撮影モード時の確認画像の表示中や再生モード時の画像の表示中のみ、その表示中の画像に対応する記録装置としてのアクセサリ２００ａ内の画像ファイルに送信許可情報を付与するようにし、それ以外の期間では送信不許可情報を付与するようにしている。このような構成により、ユーザは、画像ファイルに送信許可情報が付与されている期間内にアクセサリ２００ａを取り外すだけの簡易な操作で、画像ファイルの送信許可及び送信不許可を選択することができる。したがって、記録装置としてのアクセサリ間での画像ファイル転送の際に、ユーザが意図しない画像ファイルが不意に送信されてしまう可能性等が低減され、画像ファイル転送の際のプライバシー保護がなされる。
【００２７】
さらに、本実施形態では、画像ファイルが記録されているアクセサリ２００ｂが再生モード中のカメラ１００に装着された場合には、送信許可情報が付与されている画像ファイルに基づく画像のみを表示させ、送信不許可情報が付与されている画像ファイルに基づく画像については表示を禁止するようにしている。これにより、アクセサリ２００ａのユーザが意図しない画像ファイルが不意に表示されてしまう可能性が低減される。また、ユーザは、正しく画像ファイルの送信が行われたことを確認することも可能である。
【００２８】
ここで、図２の例では、１つの画像を表示部１２３に表示させる例を示している。これに対し、例えば複数の画像を同時表示可能とし、この同時表示された画像に対応した複数の画像ファイルに同時に送信許可情報を付与できるようにしても良い。
また、上述の実施形態では、画像ファイルに送信許可情報を付与する例を示しているが、本実施形態の技術は画像ファイル以外の各種の再生可能なデータファイルに適用可能である。例えば音声ファイルの再生中に送信許可情報を付与し、音声ファイルの再生終了時に送信不許可情報を付与するようにすれば、音声ファイルの転送の際にも本実施形態の技術を適用可能である。
【００２９】
また、上述の実施形態では、アクセサリ間の通信方式として、トランスファージェット方式を例示しているが、これ以外の方式としても良いことは言うまでもない。
以上実施形態に基づいて本発明を説明したが、本発明は上述した実施形態に限定されるものではなく、本発明の要旨の範囲内で種々の変形や応用が可能なことは勿論である。
【符号の説明】
【００３０】
１００，３００…撮像装置（カメラ）、１１０…交換レンズ、１１１…レンズ部、１１２…レンズ制御部、１２０…本体、１２１…撮像部、１２２…音声収録部、１２３…表示部、１２４…記録部、１２５…制御部、１２６…操作部、１２７…計時部、１２８…通信部、２００ａ，２００ｂ…アクセサリ、２０１…記録部、２０２…表示部、２０３…制御部、２０４…通信部、２０５…外部機器通信部
【図１】
2012049989.tif 000003
【図２】
2012049989.tif 000004
【図３】
2012049989.tif 000005
【図４】
2012049989.tif 000006